(57)【要約】【課題】搭載空間の削減により小型化を実現可能とするカメラ、およびこのカメラに搭載される光学ユニットを提供する。【解決手段】カメラは、基板と、基板に設けられ、長辺と短辺とを含む略矩形の開口形状を有する複数の開口と、それぞれが複数の開口のいずれかを覆う複数の光学部品とを備えた光学ユニットを搭載したものである。複数の開口は、基板の回転によって巡回的に一の光路に置かれると共に、一の開口の長辺の一部が該開口の隣の開口の短辺の一部に対向するように配置されるものである。【選択図】図４
2015141383.tif 000002
【特許請求の範囲】
【請求項１】
基板と、
前記基板に設けられ、長辺と短辺とを含む略矩形の開口形状を有する複数の開口と、
それぞれが、前記複数の開口のいずれかを覆う複数の光学部品と
を備え、
前記複数の開口は、前記基板の回転によって巡回的に一の光路に置かれると共に、一の開口の長辺の一部が該開口の隣の開口の短辺の一部に対向するように配置される
光学ユニットを搭載したカメラ。
【請求項２】
前記複数の開口として４つの開口が配置されると共に、これらの４つの開口が全体として卍状を成す
請求項１に記載のカメラ。
【請求項３】
前記基板の面形状は円形状であり、
前記複数の開口の各開口形状は、前記基板の円周に対向する角部分がカットされているか、または丸みを帯びている
請求項１に記載のカメラ。
【請求項４】
前記基板の厚み方向における揺動を抑止するための１または複数の抑止部材をさらに備えた
請求項１に記載のカメラ。
【請求項５】
前記抑止部材は、前記基板の片面に当接可能な面を有する
請求項４に記載のカメラ。
【請求項６】
前記抑止部材は、前記基板との当接によって回転する機構を有する
請求項４に記載のカメラ。
【請求項７】
前記基板の面形状は円形状であり、
前記抑止部材は、前記基板の円周を等分する位置に３つ設けられている
請求項４に記載のカメラ。
【請求項８】
前記複数の開口の各開口形状は、前記基板の中心部に対向する角部分がカットされているか、または丸みを帯びている
請求項１に記載のカメラ。
【請求項９】
前記基板に固定されると共に前記開口を有する枠部材を更に備え、
前記複数の光学部品はそれぞれ、前記枠部材を介して前記基板に着脱可能に取り付けられている
請求項１に記載のカメラ。
【請求項１０】
前記複数の光学部品はそれぞれ、前記基板に接着されている
請求項１に記載のカメラ。
【請求項１１】
前記複数の光学部品は、互いに機能の異なる光学フィルタである
請求項１に記載のカメラ。
【請求項１２】
前記複数の光学部品は、互いに透過率の異なる光学フィルタである
請求項１１に記載のカメラ。
【請求項１３】
前記複数の光学部品は、互いに偏光方向の異なる光学フィルタである
請求項１１に記載のカメラ。
【請求項１４】
前記光学ユニットは、前方正面から見て、ボディマウントの円周部分から斜め下方へ向かって張り出すように搭載されている
請求項１に記載のカメラ。
【請求項１５】
前記光学ユニットの前記基板を回転させるための動力を伝達する１または複数のギアと、
前記ギアに連結され、ユーザが操作可能な操作部と
を更に備えた
請求項１に記載のカメラ。
【請求項１６】
前記基板の回転中心は、前方正面から見て、光軸を通って上下に延在する第１軸上と、光軸を通って左右に延在する第２軸上との両方から外れた位置に配置される
請求項１に記載のカメラ。
【請求項１７】
基板と、
前記基板に設けられ、長辺と短辺とを含む略矩形の開口形状を有する複数の開口と、
それぞれが、前記複数の開口のいずれかを覆う複数の光学部品と
を備え、
前記複数の開口は、前記基板の回転によって巡回的に一の光路に置かれると共に、一の開口の長辺に平行で該開口を等分する線分が、前記基板の回転中心から径方向に伸びる第３軸上から外れた位置に配置される
光学ユニットを搭載したカメラ。
【請求項１８】
前記複数の開口の各開口形状は、前記基板の中心部に対向する角部分がカットされているか、または丸みを帯びている
請求項１７に記載のカメラ。
【請求項１９】
前記基板に固定されると共に前記開口を有する枠部材を更に備え、
前記複数の光学部品はそれぞれ、前記枠部材を介して前記基板に着脱可能に取り付けられている
請求項１７に記載のカメラ。
【請求項２０】
基板と、
前記基板に設けられ、長辺と短辺とを含む略矩形の開口形状を有する複数の開口と、
それぞれが、前記複数の開口のいずれかを覆う複数の光学部品と
を備え、
前記複数の開口は、一の開口の長辺の一部が該開口の隣の開口の短辺の一部に対向するように配置される
光学ユニット。
【発明の詳細な説明】
【技術分野】
【０００１】
本開示は、カメラおよびこのカメラに搭載される光学ユニットに関する。
【背景技術】
【０００２】
業務用あるいは民生用のカメラでは、複数種類の光学部品を機械的に切り替えつつ撮影を行い、映り具合を変化させる手法が普及している（例えば特許文献１参照）。
【先行技術文献】
【特許文献】
【０００３】
【特許文献１】特開２００８−２５９１１８号公報
【発明の概要】
【発明が解決しようとする課題】
【０００４】
ところが、上記手法を用いた場合、光学部品を切り替えるためのユニット（光学ユニット）がカメラに搭載されることから、カメラの体積が増大する。製品の小型化のために、この光学ユニットの搭載空間を削減することが望まれている。
【０００５】
本開示はかかる問題点に鑑みてなされたもので、その目的は、搭載空間の削減により小型化を実現可能とするカメラ、およびこのカメラに搭載される光学ユニットを提供することにある。
【課題を解決するための手段】
【０００６】
本開示の第１のカメラは、基板と、基板に設けられ、長辺と短辺とを含む略矩形の開口形状を有する複数の開口と、それぞれが複数の開口のいずれかを覆う複数の光学部品とを備え、複数の開口は、基板の回転によって巡回的に一の光路に置かれると共に、一の開口の長辺の一部が該開口の隣の開口の短辺の一部に対向するように配置される、光学ユニットを搭載したものである。
【０００７】
本開示の第２のカメラは、基板と、基板に設けられ、長辺と短辺とを含む略矩形の開口形状を有する複数の開口と、それぞれが複数の開口のいずれかを覆う複数の光学部品とを備え、複数の開口は、基板の回転によって巡回的に一の光路に置かれると共に、一の開口の長辺に平行で該開口を等分する線分が、基板の回転中心から径方向に伸びる第３軸上から外れた位置に配置される、光学ユニットを搭載したものである。
【０００８】
本開示の光学ユニットは、基板と、基板に設けられ、長辺と短辺とを含む略矩形の開口形状を有する複数の開口と、それぞれが複数の開口のいずれかを覆う複数の光学部品とを備え、複数の開口は、一の開口の長辺の一部が該開口の隣の開口の短辺の一部に対向するように配置されるものである。
【０００９】
本開示の第１のカメラ、または本開示の光学ユニットでは、基板に設けられた複数の開口の開口形状がそれぞれ略矩形となっている。これにより、例えば開口形状が円形状の場合に比べ、投影面積の無駄が少ない。また、複数の開口は、一の開口の長辺の一部が該開口の隣の開口の短辺の一部に対向するように、配置される。これにより、例えば全体として放射状を成すように複数の開口が配置される場合に比べ、基板の投影面積（径）が小さくなる。
【００１０】
本開示の第２のカメラでは、基板に設けられた複数の開口の開口形状がそれぞれ略矩形となっている。これにより、例えば開口形状が円形状の場合に比べ、投影面積の無駄が少ない。また、複数の開口は、一の開口の長辺に平行で該開口を等分する線分が、基板の回転中心から径方向に伸びる第３軸上から外れた位置に配置される。これにより、例えば全体として放射状を成すように複数の開口が配置される場合に比べ、基板の投影面積（径）が小さくなる。
【発明の効果】
【００１１】
本開示の第１のカメラ、または本開示の光学ユニットによれば、基板に設けられた複数の開口の開口形状がそれぞれ略矩形であり、一の開口の長辺の一部がその隣の開口の短辺の一部に対向するように配置される。これにより、基板の投影面積を小さくすることができる。よって、搭載空間の削減により小型化を実現することができる。
【００１２】
本開示の第２のカメラによれば、基板に設けられた複数の開口の開口形状がそれぞれ略矩形であり、一の開口の長辺に平行で該開口を等分する線分が、基板の回転中心から径方向に伸びる第３軸上から外れた位置に配置される。これにより、基板の投影面積を小さくすることができる。よって、搭載空間の削減により小型化を実現することができる。
【００１３】
なお、上記内容は本開示の一例である。本開示の効果は、上述したものに限らず、他の異なる効果であってもよいし、更に他の効果を含んでいてもよい。
【図面の簡単な説明】
【００１４】
【図１】本開示の一実施の形態に係るカメラのボディを右側面側から見た外観を表す側面図である。
【図２】図１に示したボディを前方正面から見た外観を表す正面図である。
【図３】図２に示したボディマウントを、外装部材から取り出して、前方正面から見た構成を表す正面図である。
【図４】図１に示したカメラに搭載される光学ユニットを前方正面からみた構成を表す正面図である。
【図５】開口のレイアウト構成を説明するための平面模式図である。
【図６】図３に示したボディマウントの裏側の構成（光学ユニットを取り外した状態）を表す図である。
【図７】図３に示したボディマウントの裏側の構成（光学ユニットを取り付けた状態）を表す背面図である。
【図８】図７に示した抑制フランジ付近の構成を拡大した断面図である。
【図９】図４に示した光学ユニットの効果を説明するための模式図である。
【図１０】比較例１に係る光学ユニットの構成を表す正面図である。
【図１１】比較例２に係る光学ユニットおよび抑制フランジの構成を表す正面図である。
【図１２】図７に示した抑制フランジの効果を説明するための模式図である。
【図１３】図２に示したボディマウントにアダプタを装着した状態を表す正面図である。
【図１４】図１３に示したアダプタの正面図、およびこの正面図のＶＩＩＢ−ＶＩＩＢ線における断面図である。
【図１５】図１３に示したアダプタの背面図である。
【図１６】図１に示したカメラの第１適用例を表す側面図であり、所定のアダプタを用いてシネマ撮影レンズを装着した状態を表す側面図である。
【図１７】図１に示したカメラの第２適用例を表す側面図であり、所定のアダプタを用いて静止画撮影レンズを装着した状態を表す側面図である。
【発明を実施するための形態】
【００１５】
以下、本開示の実施の形態について図面を参照して詳細に説明する。なお、説明は以下の順序で行う。
１．実施の形態（複数の光学部品を切り替えるための光学ユニットを搭載するカメラの例）
２．第１適用例（シネマ撮影レンズを装着した例）
３．第２適用例（静止画撮影レンズを装着した例）
【００１６】
＜実施の形態＞
［構成］
図１は、本開示の一実施の形態に係るカメラ（カメラ１）のボディ１０を右側面側から見た外観を表したものである。図２は、図１に示したボディ１０を前方正面から見た外観を表したものである。カメラ１は、例えばシネマ撮影用あるいはテレビ放送用などのカメラであり、レンズ交換（レンズの着脱）が可能となっている。このカメラ１は、ボディ１０の光軸方向Ｚにおける最前部に、ボディマウント２０を有している。
【００１７】
以下の説明および図面において、Ｚは光軸方向を表す。光軸Ａはレンズ、光学部品１３、および撮像素子１１などの中心を通る線である。光軸方向Ｚにおいて物体側（被写体側）を前方、撮像面側を後方とする。Ｘ方向はボディマウント２０を前方正面から見て左右方向、Ｙ方向はボディマウント２０を前方正面から見て上下方向を表す。
【００１８】
ボディ１０は、外装部材１４を有し、この外装部材１４の内側には、イメージセンサなどの撮像素子（図示せず）が設けられている（ボディ１０には撮像素子が内蔵されている）。外装部材１４の各面には、録画スタート釦１４Ａ、メニュー選択釦１４Ｂ、サイドパネル１４Ｃのほか、各種の操作釦や調整釦、ビューファインダ等のアクセサリー装着部、外部メモリ収納部、ＵＳＢ接続部、バッテリー接続部などが適宜設けられている。ボディ１０は、固有のフランジバック（マウント面と撮像面との光軸方向Ｚにおける距離）を有している。ボディ１０のボディマウント２０には、基本的には、ボディ１０に固有のフランジバックに対応するレンズが装着される。但し、後述するように所定のアダプタを用いることにより、より長い（あるいは短い）フランジバックに対応するレンズを装着可能となる。
【００１９】
ボディマウント２０は、レンズあるいはアダプタとボディ１０との接続部となるものである。ボディマウント２０は、図２に示したように、ボディ１０の外装部材１４の前面中央上部に設けられている。ボディマウント２０の内側の中央には、光学部品１３が設けられている。この光学部品１３の光軸方向Ｚにおける後方には、撮像素子が配置されている。ボディマウント２０の内側の、光学部品１３の周囲の領域には、第１接点４１および第２接点４２が設けられている。また、ボディ１０の外装部材１４の前面右斜め下部には、操作ダイヤル１５が設けられている。この操作ダイヤル１５は、光学部品１３と撮像素子との間に配置される光学部品（後述の光学部品１８Ａ〜１８Ｄ）をユーザが切り替えるためのものである。なお、この操作ダイヤル１５が、本開示の「操作部」の一具体例に相当する。但し、本実施の形態のような回転式（ダイヤル式）のものに限定されず、例えば操作釦などの押すタイプのものが用いられてもよい。
【００２０】
図３は、図２に示したボディマウント２０を、外装部材１４から取り出して、前方正面から見た構成を表したものである。ボディマウント２０は、シャーシ部材１６に取り付けられている。ボディマウント２０は、シャーシ部材１６の左方から上方にかけての領域を占めている。シャーシ部材１６は、ボディマウント２０の下方および右斜め下方に張り出すように形成された収納部１６Ａを有している。この収納部１６Ａには、光学部品１８Ａ〜１８Ｄを保持するターレット（光学ユニット１８）が収納されている。収納部１６Ａの右斜め下には、上述した操作ダイヤル１５が設けられており、ユーザが操作ダイヤル１５を回すことにより光学ユニット１８が回転して光学部品１８Ａ〜１８Ｄが切り替わるようになっている。光学ユニット１８の構成については、後述する。
【００２１】
ボディマウント２０では、例えばレンズまたはアダプタの装着方法としてスピゴット方式を採用しており、例えば、内周側から順に装着環２１、保持環２２および締結環２３を有している。なお、図３には装着環２１および保持環２２のみが示され、締結環２３は図３には示されず、図２に示されている。ボディマウント２０にスピゴット方式を採用することにより、シネマ撮影用の大型・大重量のレンズをボディ１０に堅牢に締結することが可能となり、信頼性が高まる。また、レンズを回転させずにレンズの脱着が可能であることも利点である。
【００２２】
装着環２１は、レンズの後端部またはアダプタが着座する部分である。保持環２２は、レンズの後端部またはアダプタを保持する部分である。保持環２２は、周方向の３箇所に爪２２Ａを有している。締結環２３は、保持環２２と一緒に光軸Ａの周りに回動することによりレンズまたはアダプタとボディマウント２０とを締結・固定するものである。締結環２３の外側面には、ユーザが締結環２３を握って回しやすいように、凹凸の滑り止め２３Ａが設けられていることが好ましい。
【００２３】
光学部品１３は、例えば撮像素子１１の保護機能および適宜の光学的機能を有するガラス板の部材である。光学部品１３は、例えば一方向に長い矩形の形状を有し、ボディマウント２０で囲まれた円形の領域の中央に横長に配置されている。なお、撮像素子も光学部品１３と同様に横長に配置されていることはいうまでもない。光学部品１３は、光学部品支持部材１７に支持されている。光学部品支持部材１７は、ねじ１７Ａ，１７Ｂによりシャーシ部材１６に固定されている。
【００２４】
第１接点４１は、例えばボディ１０に固有のフランジバックをもつレンズ（第１レンズという）とボディ１０とを電気的に接続するものである。具体的には、第１接点４１は、例えば、ボディ１０から第１レンズへの電源供給を行うための接点と、ボディ１０から第１レンズへ駆動信号を供給するための接点とを含む接点の集合をいう。第１接点４１の位置は、特に限定されないが、例えば前方正面から見て、ボディマウント２０の左方、外周寄りの位置に配置されている。換言すれば、第１接点４１は、光学部品１３の左側の短辺に沿って円弧状に配置されている。第１接点４１は、第１接点支持部材４１Ａにより支持されている。第１接点支持部材４１Ａは、ねじ４１Ｂ，４１Ｃにより、シャーシ部材１６に固定され、支持されている。
【００２５】
第２接点４２は、例えばボディ１０に固有のフランジバックとは異なるフランジバックをもつレンズ（第２レンズという）とボディ１０とを電気的に接続するものである。具体的には、第２接点４２は、例えば、ボディ１０から第２レンズへの電源供給を行うための接点と、ボディ１０から第２レンズへ駆動信号を供給するための接点とを含む接点の集合をいう。第２接点４２の位置は、特に限定されないが、例えば前方正面から見て、ボディマウント２０の下方、外周寄りの位置に配置されている。換言すれば、第２接点４２は、光学部品１３の下側の長辺に沿って円弧状に配置されている。第２接点４２は、第２接点支持部材４２Ａにより支持されている。第２接点支持部材４２Ａは、ねじ４２Ｂ，４２Ｃにより、シャーシ部材１６に固定され、支持されている。
【００２６】
第２接点４２は、ボディマウント２０の径方向において第１接点４１よりも内周側に位置することが好ましい。これにより、第１基準面Ｐ１にアダプタ３０が装着された状態で、第２接点４２をアダプタ３０の内周側に露出させ、第２接点４２と第２レンズ２Ｂとを容易に接続することが可能となる。また、第１接点４１および第２接点４２は、レイアウトの容易性の観点から、ボディマウント２０の周方向において異なる位置に配置されていることが好ましい。なお、第１接点４１および第２接点４２は、ボディマウント２０の周方向において同じ位置、またはほぼ同じ位置に配置されていてもよい。
【００２７】
以下に、光学ユニット１８の詳細構成について説明する。
【００２８】
［光学ユニット１８］
図４は、光学ユニット１８の正面図である。図５は、基板１８１における開口ａ１のレイアウト構成を説明するための模式図である。図６および図７は、ボディマウント２０の裏側（撮像面側）の構成を表したものである。但し、図６は、光学ユニット１８を収納部１６Ａから取り外した状態を表し、図７は、光学ユニット１８を拡張部１６Ｂに取り付けた状態を表す。光学ユニット１８は、シャーシ部材１６の収納部１６Ａに回転可能な状態で収納（保持）されている。
【００２９】
光学ユニット１８は、図４に示したように、例えば円盤状（ＸＹ平面形状が円形状）の基板１８１と、この基板１８１に保持された複数（ここでは４つ）の光学部品１８Ａ〜１８Ｄとを有している。光学部品１８Ａ〜１８Ｄは、光学機能、例えば光の透過量、波長あるいは偏光などを制御する機能を有する光学フィルタである。このような光学フィルタの一例としては、ＮＤフィルタ（減光フィルタ）、ＰＬフィルタ（偏光フィルタ）などが挙げられる。光学部品１８Ａ〜１８Ｄとしては、互いに異なる機能を有する（複数種類の）光学フィルタが用いられる。例えば、光学部品１８Ａ〜１８Ｄとして、互いに透過率の異なる複数種類のＮＤフィルタを用いることができる。あるいは、光学部品１８Ａ〜１８Ｄとして、互いに偏光方向の異なる複数種類のＰＬフィルタを用いることもできる。また、光学部品１８Ａ〜１８Ｄのうちいずれか１つは、上記のような光学機能をもたない透明なガラス板であってもよい。
【００３０】
基板１８１は、複数の開口（本実施の形態では、枠部材１８２の有する開口ａ１）を有しており、これらの複数の開口ａ１のいずれかを覆って、上記の光学部品１８Ａ〜１８Ｄがそれぞれ設けられている。詳細には、基板１８１に開けられた開口部分（図示せず）に、枠部材１８２が固定されており、この枠部材１８２の有する開口ａ１において、光学部品１８Ａ〜１８Ｄが固定、支持されている。換言すると、光学部品１８Ａ〜１８Ｄは、基板１８１に、枠部材１８２を介して取り付けられている。この例では、枠部材１８２が光学ユニット１８の実効的な開口を定義し、開口ａ１が、本開示における「開口」の一具体例に相当する。開口ａ１の開口形状は、長辺と短辺とを含む略矩形状（以下、矩形状）となっている。光学部品１８Ａ〜１８Ｄの面形状（ＸＹ平面形状）は、開口ａ１の矩形状におおむね倣っている。この開口ａ１の開口形状は、撮像素子の撮像面の形状と相似であることが望ましい。なお、「略矩形状」とは、数学的な矩形（長方形）に限定されず、全体として横長な形状であって、長辺と短辺とを含むような形状であればよい。また、例えば辺部分が曲線を有していてもよいし、あるいは角部分がカットされたような形状（後述）であってもよく、また角部分が丸みを帯びていてもよい。
【００３１】
枠部材１８２は、ねじ１８２Ａ，１８２Ｂにより基板１８１に固定されている。この枠部材１８２が用いられることにより、光学部品１８Ａ〜１８Ｄを基板１８１に対して着脱可能に取り付けることができる。ここでは、開口ａ１の短辺付近のスペースを利用して２つのねじ１８２Ａ，１８２Ｂにより、枠部材１８２が固定されている。ねじの個数、位置などは特に限定されるものではないが、省スペース化を考慮し、できるだけ空きスペースを利用して設けられることが望ましい。
【００３２】
この構成において、枠部材１８２の開口ａ１の矩形状では、基板１８１の円周に対向する角部分がカットされている（図４中の形状Ｃ１１）。また、枠部材１８２の外周部のうち、基板１８１の円周に対向する角部分が円周に倣うように丸みを帯びている（図４中の形状Ｃ２１）。これにより、基板１８１のサイズ（径）を小さくしつつ、該角部分付近の機械的強度を保持することができる。
【００３３】
一方、開口ａ１の各矩形状では、基板１８１の中心部１８３に対向する角部分がカットされている（図４中の形状Ｃ１２）。また、枠部材１８２の外周部のうち、基板１８１の中心部１８３に対向する角部分も、上記の形状Ｃ２１と同様に丸みを帯びている（図４中の形状Ｃ２２）。これにより、基板１８１のサイズ（径）を小さくしつつ、中心部１８３におけるユニット側ギア１９３の取り付けエリアを確保することができる。
【００３４】
これらの光学部品１８Ａ〜１８Ｄは、基板１８１の回転によって巡回的に１つの光路（カメラ１内の光軸Ａを含む光路）に置かれる。この例では、光学部品１８Ａ〜１８Ｄのうち前方正面から見て左斜め上方の位置に配された光学部品（図４および図７に図示した状態では、光学部品１８Ａ）が光路に置かれる。このように、前方正面から見た場合に、光学部品１８Ａ〜１８Ｄをそれぞれ巡回的に左斜め上方の位置で用いると共に、収納部１６Ａが右斜め下方に張り出して配置され、かつこの収納部１６Ａに操作ダイヤル１５が設けられていることで、より小型化に有利となる。
【００３５】
本実施の形態では、図５に示したように、複数の開口ａ１が、一の開口ａ１の矩形状の長辺ａ１１の一部が、その隣の開口ａ１の短辺ａ１２の一部に対向するように配置される。ここでは、各開口ａ１の１つの長辺ａ１１が、その隣の開口ａ１の１つの短辺ａ１２に対向するように配置されている。換言すると、開口ａ１の矩形状の長辺ａ１１の一部が、基板１８１の回転中心部ｂ１に対向するように配置される。あるいは、各開口ａ１の長辺ａ１１が回転中心ｂ１を取り囲むように配置される。あるいは、複数の開口ａ１が、全体として放射状となる位置（後述の十字状の配置等）からシフトして（オフセットされて）配置される。あるいは、一の開口ａ１の長辺に平行で該開口を等分する線分ａ１３が、基板１８１の回転中心ｂ１から径方向に伸びる軸ｒ３（第３軸）上から外れた位置に（線分ａ１１が軸ｒ３と一致しないように）配置される。ここでは、各開口ａ１の線分ａ１３が、基板１８１の軸ｒ３上から外れた位置に（線分ａ１１が軸ｒ３と一致しないように）配置されている。
【００３６】
具体的には、４つの開口ａ１が全体として卍（まんじ）状を成すように配置されることが望ましい。この卍状の配置により、円盤状の基板１８１に対して、矩形状の４つの開口ａ１を効率的に（不要なスペースを省いて）配置可能となる。つまり、光学部品１８Ａ〜１８Ｄを効率的に配置可能となる。これにより、基板１８１の径，投影面積を小さくすることができる。換言すると、基板１８１の面内における開口ａ１の占有面積が増す。
【００３７】
より詳細には、４つの開口ａ１はそれぞれ、互いに同一の形状，寸法（設計値）を有する矩形状を有しており、基板１８１を回転させた場合に９０°毎に形状および位置が一致するように設計されている。換言すると、これらの４つの開口ａ１は、全体として４回対称の回転対称性を有している。但し、各開口ａ１の形状および寸法は完全に同一でなくともよく、上述のように回転によって同じ１つの光路に置かれるように設計されていればよい。
【００３８】
これらの光学部品１８Ａ〜１８Ｄを有する光学ユニット１８は、基板１８１の中心部１８３が、収納部１６Ａに設けられたギア（ユニット側ギア１９３）に支持、固定されている。この例では、光学ユニット１８の中心部１８３が、収納部１６Ａのユニット側ギア１９３に、ねじ１８４により固定されている。つまり、光学ユニット１８は、ユニット側ギア１９３と同じ軸（回転軸ｂ１）周りに回転する。この基板１８１の中心部１８３（回転中心）は、図３に示したように、前方正面から見て、光軸Ａを通って上下に延在する軸ｒ１（第１軸）上と、光軸Ａを通って左右に延在する軸ｒ２（第２軸）上との両方から外れた位置に配置される。
【００３９】
収納部１６Ａには、更に、このユニット側ギア１９３に連結して、動力伝達用のギア（伝達用ギア１９２）が設けられている。伝達用ギア１９２は、例えば２つのギア１９２Ａ，１９２Ｂを有し、入力側ギア１９１に連結される。入力側ギア１９１は、上述した操作ダイヤル１５に接続され、操作ダイヤル１５と同じ軸周りに回転する。これらの構成により、ユーザによる操作ダイヤル１５の操作に基づく動力が入力側ギア１９１、伝達用ギア１９２およびユニット側ギア１９３を介して、光学ユニット１８の中心部１８３に伝達され、光学ユニット１８が回転する。
【００４０】
この光学ユニット１８の回転（基板１８１の回転）によって、光学部品１８Ａ〜１８Ｄが巡回的に、カメラ１の光路（光軸Ａを通る光路）に置かれる。つまり、光学部品１８Ａ〜１８Ｄがユーザの操作によって切り替え可能となり、光学部品１８Ａ〜１８Ｄのそれぞれの機能を用いた撮影を行うことができる。
【００４１】
なお、上記した操作ダイヤル１５および入力側ギア１９１、伝達用ギア１９２およびユニット側ギア１９３を用いた切り替え機構は一例であり、これに限定されるものではない。基板１８１の回転によって、光学部品１８Ａ〜１８Ｄが巡回的に一の光路に置かれるような機構を有していればよい。また、光学ユニット１８は、上記のようにボディ１０の前面において、ボディマウント２０と一体化されたシャーシ部材１６に組み込まれていてもよいし、あるいはアダプタなどの他の光学装置に組み込まれていてもよい。
【００４２】
（揺動，発塵抑制機構）
収納部１６Ａには、図７に示したように、１または複数の箇所（ここでは３箇所）に、抑制フランジ１８５が設けられている。抑制フランジ１８５は、光学ユニット１８の基板１８１の片面側において、基板１８１の厚み方向における揺れや傾き（揺動）を抑止するための部材（抑止部材）である。
【００４３】
図８は、１つの抑制フランジ１８５付近の断面構成を拡大したものである。このように、抑制フランジ１８５は、基板１８１と当接可能な面１８５ａを有している。これにより、基板１８１の揺動によって、基板１８１が抑制フランジ１８５に当接した場合、基板１８１と抑制フランジ１８５とが面接触する（図８中のｅ１）。点接触ではなく、面接触とすることで、基板１８１と抑制フランジ１８５との当接によって基板１８１の表面が削れにくく、発塵が生じにくくなる。
【００４４】
この抑制フランジ１８５は、基板１８１の円周を等分する位置に３つ設けられることが望ましい。即ち、各抑制フランジ１８５と基板１８１の円の中心とを結んだ線分が互いに１２０°を成すように配置されることが望ましい。基板１８１の揺動をほぼ確実に抑止することができるためである。
【００４５】
抑制フランジ１８５は、更に、光軸Ｚの方向に沿って延在する回転軸ｂ２を有しており、回転軸ｂ２の周りに回転可能となっている。これにより、基板１８１の回転および揺動に起因して抑制フランジ１８５が基板１８１と当接した場合、抑制フランジ１８５は回転する。このような回転機構を有することで、後述するように発塵を抑制することができる。また、基板１８１の表面の材質を強化することで、発塵をより効果的に抑制することができる。例えば、基板１８１の表面をアルマイト処理したり、あるいは更にコーティング（潤滑塗装など）を施すことによって、より発塵を抑え易くなる。
【００４６】
［作用，効果］
本実施の形態のカメラ１では、ユーザが、所望のタイミングで操作ダイヤル１５を回すことで、その動力が、入力側ギア１９１、伝達用ギア１９２およびユニット側ギア１９３を介して、光学ユニット１８に伝わり、光学ユニット１８が回転する。この回転により、カメラ１の光路（光軸Ａを含む光路）には、光学部品１８Ａ〜１８Ｄのいずれかが置かれる。このように、ユーザは、複数種類の光学部品１８Ａ〜１８Ｄを巡回的に切り替えることができる。したがって、光学部品１８Ａ〜１８Ｄのうちの所望のものを使用して、目的や趣向に応じた撮影を行うことができる。
【００４７】
ここで、光学ユニット１８では、複数の開口ａ１の開口形状がそれぞれ矩形状を有している。これにより、例えば開口形状が円形状（丸形状）である場合に比べ、投影面積が小さくなる。図９に模式的に示したように、カメラ１における光路Ｌを考慮すると、円形Ｆ１２の場合には、円周付近に無駄なスペースが生じるのに対し、矩形状Ｆ１１の場合には、像面Ｓｉの矩形状に近くなり、そのような無駄なスペースが省かれ、投影面積が小さくなる。
【００４８】
また、光学ユニット１８では、４つの開口ａ１が、全体として例えば卍状を成すように配置されることにより、開口ａ１ないしは光学部品１８Ａ〜１８Ｄの基板１８１面内における占有面積が増す（無駄なスペースが削減される）。以下に、その理由を述べる。
【００４９】
図１０に、本実施の形態の比較例１として、円盤状の基板１０１に、矩形状の開口１０１ａを有する光学ユニット１００の構成を示す。この比較例１では、複数の開口１０１ａが、全体として放射状に配置されている。この例では、４つの開口１０１ａが、全体として十字状を成すように配置されている。また、開口１０１ａの矩形状の短辺が、基板１０１の中心部１０２に対向するように配置されている。換言すると、開口１０１ａの矩形状において、長辺に平行でかつ開口１０１ａを等分する線分１０１ｂが、中心部１０２から径方向に伸びた軸ｒ３上の位置に（線分１０１ｂが軸ｒ３と一致するように）配置されている。このような構成により、比較例の光学ユニット１００は、基板１０１の９０°毎の回転によって、４つの開口１０１ａの位置が巡回的に切り替えられる。
【００５０】
ところが、比較例１では、円盤状の基板１０１に対して、４つの開口１０１ａを十字状に配置するため、無駄なスペース（開口１０１ａ以外のスペース）が大きい。この結果、基板１０１全体の投影面積が大きくなってしまう。
【００５１】
これに対し、本実施の形態では、図５に示したように、例えば卍状を成すように、開口ａ１の長辺ａ１１の一部が、その隣の開口ａ１の短辺ａ１２の一部に対向して配置される。換言すると、開口ａ１の矩形状において、長辺ａ１１に平行でかつ開口ａ１を等分する線分ａ１３が、回転中心ｂ１から径方向に伸びた軸ｒ３上から外れた位置に（線分ａ１３が軸ｒ３と一致しないように）配置される。このような配置により、比較例１に比べ、基板１８１において無駄なスペースが削減される。よって、基板１８１の投影面積が小さくなり、光学ユニット１８の搭載空間が削減される。
【００５２】
加えて、本実施の形態では、光学ユニット１８の基板１８１の片面側に抑制フランジ１８５が設けられている。これにより、光学ユニット１８の揺動が抑止される。
【００５３】
ここで、図１１に、本実施の形態の比較例２に係る抑制フランジ１０２の構成を模式的に示す。抑制フランジ１０２（１０２ａ，１０２ｂ）は、基板１０１を両面側から挟むように設けられている。また、基板１０１の周方向において１箇所にのみ設けられている。ところが、この比較例２のように、抑制フランジ１０２が基板１０１の両側に設けられている場合、搭載空間が増え、小型化が阻害される。また、１箇所にのみ抑制フランジ１０２を設けた場合、基板１０１との摺動時に過度の力が加わり、発塵が起こり易くなる。３箇所に設ければ擦動時の力は分散されるが、搭載空間が大きくなる。
【００５４】
これに対し、本実施の形態では、図１２に示したように、基板１８１の周方向における３箇所に対応して抑制フランジ１８５が設けられ、かつこれらの抑制フランジ１８５は、基板１８１の片面側にのみ対向するように設けられている。これにより、両側から挟むように設けられる場合に比べ、搭載空間が小さくなる。
【００５５】
また、抑制フランジ１８５が面１８５ａを有することにより、基板１８１が抑制フランジ１８５に当接した場合、基板１８１と抑制フランジ１８５とが、面接触する（図８中のｅ１）。点接触ではなく、面接触とすることで、基板１８１と抑制フランジ１８５との当接によって基板１８１の表面が削れにくく、発塵が生じにくくなる。
【００５６】
更に、抑制フランジ１８５が、基板１８１の円周を等分する位置に３つ設けられることにより、基板１８１の揺動をほぼ確実に抑止することができる。上記のように、抑制フランジ１８５は、基板１８１の片面側にのみ設けられることから、抑制フランジ１８５を複数箇所に設けたとしても、搭載空間が増大しにくい。つまり、搭載空間の増大を抑えつつ、基板１８１の周方向における３箇所に対応して抑制フランジ１８５を設けることができ、発塵の発生を抑制することができる。
【００５７】
加えて、抑制フランジ１８５は、光軸Ｚの方向に沿って延在する回転軸ｂ２を有しており、回転軸ｂ２の周りに回転可能となっている。これにより、基板１８１の回転および揺動に起因して抑制フランジ１８５が基板１８１と当接した場合、抑制フランジ１８５は回転する。このような回転機構を有することで、当接時の応力を逃がすことができ、発塵を抑制することができる。また、擦動時の音の発生も抑制することができる。
【００５８】
以上のように本実施の形態では、光学ユニット１８において、基板１８１に設けられた複数の開口ａ１が矩形状を有している（開口ａ１の開口形状が矩形状である）。これにより、開口形状が円形状である場合に比べ、投影面積を小さくすることができる。また、これらの複数の開口ａ１が、基板１８１の回転によって巡回的に光軸Ａを含む光路に置かれると共に、全体として例えば卍状を成すように配置される。これにより、例えば全体として放射状を成すように配置される場合に比べ、基板面内における無駄なスペースが削減される。したがって、基板１８１の投影面積（径）を小さくすることができる。よって、搭載空間の削減により小型化を実現することが可能となる。
【００５９】
［アダプタ装着例］
上記のような光学ユニット１８を搭載するカメラ１では、光学ユニット１８の省スペース化により、例えば以下に説明するようなアダプタ（アダプタ３０）をボディマウント２０に装着することができる。図１３は、アダプタ３０を前方正面から見た構成を表したものである。図１３（Ｂ）は、図１３の（Ａ）のＶＩＩＢ−ＶＩＩＢ線における断面構成を表したものである。  図１４は、図１３に示したアダプタ３０を背面から見た構成を表したものである。図１５は、アダプタ３０をボディマウント２０に装着した状態を、ボディマウント２０の前方正面から見た構成を表したものである。なお、図１５には、締結環２３も示されている。
【００６０】
アダプタ３０は、例えばバヨネット方式によりボディマウント２０への締結がなされるものである。このアダプタ３０は、上記のカメラ１のボディ１０に固有のフランジバック（以下、フランジバックＦＢ１という）よりも短いフランジバック（以下、フランジバックＦＢ２という）を有するレンズを、ボディマウント２０に装着するためのものである。このようなアダプタ３０を用いることにより、カメラ１では、ボディマウント２０全体を交換することなくボディ１０に固有のフランジバックＦＢ１よりも短いフランジバックＦＢ２を有するレンズを装着可能となる。
【００６１】
具体的には、アダプタ３０は、例えば図１３の（Ａ）および図１３の（Ｂ）に示したように、開口３３Ａを有し、外周部３２と、内周部３３と、中間部３４とを有している。アダプタ３０の口径は、ボディマウント２０の口径よりも小さい。
【００６２】
外周部３２は、ボディマウント２０に装着される部分であり、装着面３１を有している。装着面３１は、ボディマウント２０の第１基準面Ｐ１に装着された状態で第１基準面Ｐ１に接する面である。外周部３２は、周方向の３箇所に、ボディマウント２０への装着のための外爪３２Ａを有している。
【００６３】
内周部３３は、外周部３２の内側に同心円状に設けられると共に第２基準面Ｐ２を有している。第２基準面Ｐ２は、光軸方向Ｚにおいて装着面３１よりも撮像面側に位置することが好ましい。このようにすることにより、ボディマウント２０に、アダプタ３０を介して、フランジバックＦＢ２を有するレンズを装着可能となる。
【００６４】
中間部３４は、外周部３２と内周部３３とを光軸方向Ｚにおいて連結する段差部である。中間部３４は、外周部３２と内周部３３とをつなぐ傾斜面３４Ａを有していることが好ましい。傾斜面３４Ａを有することにより、多様なレンズ形状に対応することが可能になる。加えて、この傾斜面３４Ａが設けられていることで、後述するレンズ離脱釦３５Ｃの周囲に余裕空間が生まれ、ユーザがレンズ離脱釦３５Ｃを押しやすくなるという利点もある。
【００６５】
アダプタ３０の背面側には、図１４に示したように、例えば、内爪３５Ａと、バヨネット機構３５Ｂと、レンズ離脱釦３５Ｃとを有している。内爪３５Ａは、レンズを第２基準面Ｐ２に装着するためのものである。内爪３５Ａは、内周部３３の周方向の３箇所に設けられている。バヨネット機構３５Ｂは、内爪３５Ａの裏側に設けられたばね機構であり、レンズを第２基準面Ｐ２に押し付け、第２レンズ２Ｂの光軸方向Ｚにおける変位や位置ずれを抑えるようになっている。
【００６６】
レンズ離脱釦３５Ｃは、図１３の（Ａ）に示したように、レンズをアダプタ３０から取り外すための押し釦である。レンズ離脱釦３５Ｃは、外周部３２および中間部３４の左斜め下方に設けられている。但し、図１３の（Ａ）において、Ｘ方向を紙面の左右方向，Ｙ方向を紙面の上下方向とする。このレンズ離脱釦３５Ｃは、図１３の（Ｂ）に示したように、光軸方向Ｚにおいて外周部３２の前面３２Ａよりもレンズ側へ突出していることが好ましい。このようにすることにより、ユーザがレンズ離脱釦３５Ｃを指の爪の先ではなく指の腹で容易に押すことが可能となり、使いやすさが向上する。
【００６７】
第１基準面Ｐ１にアダプタ３０が装着された状態では、第１接点４１はアダプタ３０に隠されており、第２接点４２はアダプタ３０よりも内周側に露出していることが好ましい。これにより、第１基準面Ｐ１にアダプタ３０が装着された状態で、第２接点４２をアダプタ３０の内周側に露出させ、第２接点４２とレンズとを容易に接続することが可能となる。
【００６８】
また、締結環２３は、周方向の一部、例えばボディマウント２０を前方正面から見て下方に、切欠き部分２３Ｂを有していることが好ましい。切欠き部分２３Ｂは、締結環２３の周方向の一部において、その光軸方向Ｚにおける高さを低くしたものである。これにより、締結環２３の下方に空間が生まれ、レンズ鏡筒から下方に突出する部品と締結環２３との干渉を回避することが可能となる。切欠き部分２３Ｂの光軸方向Ｚにおける高さは、例えば保持環２２と同一面またはほぼ同一面をなすようにすることが好ましい。
【００６９】
締結環２３は、切欠き部分２３Ｂ以外の立ち壁部分２３Ｃを有している。立ち壁部分２３Ｃは、光軸Ａを中心とする中心角αが１８０°以上であることが好ましい。これにより、ユーザが手で立ち壁部分２３Ｃを握って回しやすくすることが可能となる。なお、凹凸の滑り止め２３Ａは、立ち壁部分２３Ｃのみに設けてもよいし、立ち壁部分２３Ｃおよび切欠き部分２３Ｂの両方に設けられていてもよい。
【００７０】
アダプタ３０のレンズ離脱釦３５Ｃは、締結環２３の切欠き部分２３Ｂの範囲内に設けられていることが好ましい。これにより、ユーザがレンズ離脱釦３５Ｃを容易に押すことが可能となり、利便性が向上する。
【００７１】
また、アダプタ３０のレンズ離脱釦３５Ｃは、ボディマウント２０を前方正面から見て、ボディマウント２０の周方向において斜め下方、例えば左斜め下方または右斜め下方にあることが好ましい。レンズ離脱釦３５Ｃをボディマウント２０の周方向において下方に配置する場合には、第２レンズ２Ｂの下方に付属する部品との干渉によりレンズ離脱釦３５Ｃを操作しにくくなるおそれがある。また、レンズ離脱釦３５Ｃは、メインカメラマンを補助するアシスタントカメラマンがカメラ１の脇に立って操作する場合が多い。従って、レンズ離脱釦３５Ｃを左斜め下方または右斜め下方に配置することにより、アシスタントカメラマンがレンズ離脱釦３５Ｃを操作しやすくなる。よって、作業効率が良くなる。なお、図１５では、右斜め下方に操作ダイヤル１５を配置し、左斜め下方にレンズ離脱釦３５Ｃを配置している場合を表しているが、操作ダイヤル１５とレンズ離脱釦３５Ｃは両方とも左斜め下方、または両方とも右斜め下方に配置されていてもよい。
【００７２】
ここで、より短いフランジバックを有するレンズ用のアダプタ３０を、ボディマウント２０に装着する場合、できるだけ干渉が生じないようにすることが望ましい。上記実施の形態の光学ユニット１８を有するカメラ１では、上述のように光学ユニット１において省スペース化を実現できるので、アダプタ３０を装着する場合にも、干渉を避けやすい。
【００７３】
なお、上記例では、フランジバックのより短いレンズに対応するアダプタ３０を挙げたが、一般的なアダプタのように、フランジバックのより長いレンズに対応するアダプタが装着されてもよい。また、レンズの装着方法として、バヨネット方式を採用したアダプタに限らず、スピゴット方式を採用したものが用いられてもよい。
【００７４】
＜適用例＞
以下、このカメラ１の適用例について説明する。
【００７５】
（第１適用例）
このカメラ１は、図１６に示したように、ボディマウント２０に、例えばシネマ撮影レンズ用のアダプタ３０Ｃを装着し、このアダプタ３０Ｃに、シネマ撮影用のレンズ２Ａを装着して使用することが可能である。ボディ１０には、ビューファインダ、レコーダー、バッテリー等（いずれも図示せず）を更に装着してもよい。
【００７６】
アダプタ３０Ｃは、カメラ１のボディマウント２０を、シネマ業界標準であるＰＬマウントに変換するものである。アダプタ３０Ｃおよびレンズ２Ａは、ボディ１０に固有のフランジバックＦＢ１よりも長いフランジバックを有している。このようなアダプタ３０Ｃの使用により、より長いフランジバックをもつレンズ２Ａをボディマウント２０に装着可能となる。
【００７７】
（第２適用例）
あるいは、このカメラ１は、図１７に示したように、ボディマウント２０にアダプタ３０を装着し、このアダプタ３０に、例えば静止画撮影用のレンズ２Ｂなどのフランジバックのより短いレンズを装着して使用することが可能である。レンズ２Ｂは、例えばミラーレスカメラ用の静止画撮影レンズであり、ボディ１０に固有のフランジバックよりも短いフランジバックを有している。なお、レンズ２Ｂは、一眼レフ用のもの、静止画および動画の両方を撮影可能なものでもよい。このように本開示のアダプタ３０を用いることにより、映像業界で使用されてきたレンズ２Ａのユーザが、写真業界で使用されてきたレンズ２Ｂを気軽に使用可能となる。従って、シネマ撮影用、放送用、コンシューマ向け静止画撮影用などの用途による分類の垣根を低くし、ユーザが容易に新しい体験機会を手に入れて、映像表現の可能性を拡大することが可能となる。
【００７８】
以上、実施の形態を挙げて本開示を説明したが、本開示は上記実施の形態に限定されるものではなく、種々の変形が可能である。例えば、上記実施の形態では、光学ユニット１８において、光学部品１８Ａ〜１８Ｄが基板１８１に枠部材１８２を介して取り付けられるようにしたが、光学部品１８Ａ〜１８Ｄは基板１８１に直接に接着されていてもよい。この場合、枠部材１８２が不要となり、より省スペース化に有利となる。また、基板１８１に開けられた開口が、光学ユニットにおける実効的な開口となり、本開示における「開口」に相当する。
【００７９】
また、上記実施の形態では、光学ユニット１８の基板１８１に４つの開口ａ１が設けられた場合を例示したが、本開示の光学ユニットにおける開口の数は、これに限定されず、２つあるいは３つであってもよいし、５つ以上であってもよい。また、これらの複数の開口の全てに対応して光学部品が設けられていてもよいが、必ずしも全ての開口に対応して設けられる必要はない。選択的な開口においてのみ光学部品が支持されていてもよい。例えば、基板の４つの開口のうち、３つの開口にはそれぞれ光学部品が取り付けられ、残りの１つの開口には光学部品が取り付けられていない状態で、光学ユニットがカメラに搭載されていてもよい。
【００８０】
更に、上記実施の形態では、基板１８１の面形状が円形である場合を例示したが、基板の面形状は必ずしも円形でなくともよく、例えば正多角形であってもよい。
【００８１】
加えて、上記実施の形態では、ボディマウント２０を前方正面から見て、第１接点４１はボディマウント２０の周方向において左方、第２接点４２はボディマウント２０の周方向において下方に設けられている場合について説明した。しかしながら、第１接点４１および第２接点４２の配置は、上記実施の形態の例に限られず、様々に変更可能である。
【００８２】
また、上記実施の形態において説明した各構成要素の形状、寸法および材料などは限定されるものではなく、他の形状、寸法および材料としてもよい。
【００８３】
更に、例えば、上記実施の形態では、カメラ１およびアダプタ３０の構成を具体的に挙げて説明したが、全ての構成要素を備える必要はなく、また、他の構成要素を更に備えていてもよい。
【００８４】
上記実施の形態等において説明した効果は一例であり、他の効果であってもよいし、更に他の効果を含んでいてもよい。
【００８５】
なお、本開示は以下のような構成を取ることも可能である。
（１）
基板と、
前記基板に設けられ、長辺と短辺とを含む略矩形の開口形状を有する複数の開口と、
それぞれが、前記複数の開口のいずれかを覆う複数の光学部品と
を備え、
前記複数の開口は、前記基板の回転によって巡回的に一の光路に置かれると共に、一の開口の長辺の一部が該開口の隣の開口の短辺の一部に対向するように配置される
光学ユニットを搭載したカメラ。
（２）
前記複数の開口として４つの開口が配置されると共に、これらの４つの開口が全体として卍状を成す
上記（１）に記載のカメラ。
（３）
前記基板の面形状は円形状であり、
前記複数の開口の各開口形状は、前記基板の円周に対向する角部分がカットされているか、または丸みを帯びている
上記（１）または（２）に記載のカメラ。
（４）
前記基板の厚み方向における揺動を抑止するための１または複数の抑止部材をさらに備えた
上記（１）〜（３）のいずれかに記載のカメラ。
（５）
前記抑止部材は、前記基板の片面に当接可能な面を有する
上記（４）に記載のカメラ。
（６）
前記抑止部材は、前記基板との当接によって回転する機構を有する
上記（４）または（５）のいずれかに記載のカメラ。
（７）
前記基板の面形状は円形状であり、
前記抑止部材は、前記基板の円周を等分する位置に３つ設けられている
上記（４）〜（６）のいずれかに記載のカメラ。
（８）
前記複数の開口の各開口形状は、前記基板の中心部に対向する角部分がカットされているか、または丸みを帯びている
上記（１）〜（７）のいずれかに記載のカメラ。
（９）
前記基板に固定されると共に前記開口を有する枠部材を更に備え、
前記複数の光学部品はそれぞれ、前記枠部材を介して前記基板に着脱可能に取り付けられている
上記（１）〜（８）のいずれかに記載のカメラ。
（１０）
前記複数の光学部品はそれぞれ、前記基板に接着されている
上記（１）〜（８）のいずれかに記載のカメラ。
（１１）
前記複数の光学部品は、互いに機能の異なる光学フィルタである
上記（１）〜（１０）のいずれかに記載のカメラ。
（１２）
前記複数の光学部品は、互いに透過率の異なる光学フィルタである
上記（１１）に記載のカメラ。
（１３）
前記複数の光学部品は、互いに偏光方向の異なる光学フィルタである
上記（１１）に記載のカメラ。
（１４）
前記光学ユニットは、前方正面から見て、ボディマウントの円周部分から斜め下方へ向かって張り出すように搭載されている
上記（１）〜（１３）のいずれかに記載のカメラ。
（１５）
前記光学ユニットの前記基板を回転させるための動力を伝達する１または複数のギアと、
前記ギアに連結され、ユーザが操作可能な操作部と
を更に備えた
上記（１）〜（１４）のいずれかに記載のカメラ。
（１６）
前記基板の回転中心は、前方正面から見て、光軸を通って上下に延在する第１軸上と、光軸を通って左右に延在する第２軸上との両方から外れた位置に配置される
上記（１）〜（１５）のいずれかに記載のカメラ。
（１７）
基板と、
前記基板に設けられ、長辺と短辺とを含む略矩形の開口形状を有する複数の開口と、
それぞれが、前記複数の開口のいずれかを覆う複数の光学部品と
を備え、
前記複数の開口は、前記基板の回転によって巡回的に一の光路に置かれると共に、一の開口の長辺に平行で該開口を等分する線分が、前記基板の回転中心から径方向に伸びる第３軸上から外れた位置に配置される
光学ユニットを搭載したカメラ。
（１８）
前記複数の開口の各開口形状は、前記基板の中心部に対向する角部分がカットされているか、または丸みを帯びている
上記（１７）に記載のカメラ。
（１９）
前記基板に固定されると共に前記開口を有する枠部材を更に備え、
前記複数の光学部品はそれぞれ、前記枠部材を介して前記基板に着脱可能に取り付けられている
上記（１７）または（１８）に記載のカメラ。
（２０）
基板と、
前記基板に設けられ、長辺と短辺とを含む略矩形の開口形状を有する複数の開口と、
それぞれが、前記複数の開口のいずれかを覆う複数の光学部品と
を備え、
前記複数の開口は、一の開口の長辺の一部が該開口の隣の開口の短辺の一部に対向するように配置される
光学ユニット。
【符号の説明】
【００８６】
１…カメラ、２Ａ，２Ｂ…レンズ、１０…ボディ、１３…光学部品、１４…外装部材、１５…操作ダイヤル、１６…シャーシ部材、１６Ａ…拡張部、１７…光学部品支持部材、１８…光学ユニット、１８Ａ〜１８Ｄ…光学部品、１８１…基板、１８２…枠部材、１８３…中心部、１８４…ねじ、１８５…抑制フランジ、１９１…入力側ギア、１９２…伝達用ギア、１９３…ユニット側ギア、２０…ボディマウント、２１…装着環、２２…保持環、２２Ａ…爪、２３…締結環、３０…アダプタ、３１…装着面、３２…外周部、３３…内周部、３４…中間部、３４Ａ…傾斜面、３５Ａ…内爪、３５Ｂ…バヨネット機構、３５Ｃ…レンズ離脱釦、４１…第１接点、４１Ａ…第１接点支持部材、４２…第２接点、４２Ａ…第２接点支持部材、４３…第３接点、Ａ…光軸、ｂ１，ｂ２…回転軸、Ｃ１１，Ｃ１２，Ｃ２１，Ｃ２２…形状。
【図１】
2015141383.tif 000003
【図２】
2015141383.tif 000004
【図３】
2015141383.tif 000005
【図４】
2015141383.tif 000006
【図５】
2015141383.tif 000007
【図６】
2015141383.tif 000008
【図７】
2015141383.tif 000009
【図８】
2015141383.tif 000010
【図９】
2015141383.tif 000011
【図１０】
2015141383.tif 000012
【図１１】
2015141383.tif 000013
【図１２】
2015141383.tif 000014
【図１３】
2015141383.tif 000015
【図１４】
2015141383.tif 000016
【図１５】
2015141383.tif 000017
【図１６】
2015141383.tif 000018
【図１７】
2015141383.tif 000019